(57)【要約】【課題】  顧客個人に合ったアドバイスを提供するために、満足できる仕方で皮膚を分析できるシステム及び方法を提供する。【解決手段】  本発明による皮膚の分析システムシステムは、  皮膚の小孔及び（又は）斑点を観察できる倍率で皮膚の少なくとも一つの画像を取得するカメラと；  少なくとも一つの取得した画像と、基準皮膚の画像とを同時に表示するディスプレイ装置と；  皮膚の少なくとも一つの物理化学的特性を測定するカメラ以外の装置と；  少なくとも一つの取得した画像及び（又は）装置で実行される測定を処理することによって皮膚に関する情報を発生するプロセッサと；から成る。【選択図】    図１
2005118580.tif 000002
【特許請求の範囲】
【請求項１】
皮膚の小孔及び（又は）斑点を観察できる倍率で皮膚の少なくとも一つの画像を取得するカメラと；
少なくとも一つの取得した画像と基準皮膚の画像とを同時に表示するディスプレイ装置と；
皮膚の少なくとも物理化学的特性を測定するカメラ以外の装置と；
少なくとも一つの取得した画像及び（又は）実行される測定を処理することによって皮膚に関する情報を発生するプロセッサと；
を有することを特徴とする人の皮膚の分析システム。
【請求項２】
カメラが倍率少なくとも４０倍の対物レンズを備えていることを特徴とする請求項１に記載のシステム。
【請求項３】
カメラが倍率ほぼ６０倍の対物レンズを備えていることを特徴とする請求項１に記載のシステム。
【請求項４】
プロセッサが、カメラで取得した皮膚の少なくとも一つの画像から皮膚における小孔の数、大きさ及び位置の少なくとも一つを測定するように構成されることを特徴とする請求項１に記載のシステム。
【請求項５】
プロセッサが、カメラで取得した皮膚の少なくとも一つの画像から皮膚における斑点の数、大きさ及び位置の少なくとも一つを測定するように構成されることを特徴とする請求項１に記載のシステム。
【請求項６】
カメラが少なくとも一つの偏光子を備えることを特徴とする請求項１に記載のシステム。
【請求項７】
皮膚における皮脂を収集する少なくも一つの装置を有することを特徴とする請求項１に記載のシステム。
【請求項８】
上記装置が、皮膚に当てる面をもつペレットを備える少なくとも一つの皮脂収集媒体を有することを特徴とする請求項７に記載のシステム。
【請求項９】
プロセッサが、皮脂収集媒体の少なくとも一つの画像を処理することによって収集した皮脂の量を測定するように構成されることを特徴とする請求項８に記載のシステム。
【請求項１０】
皮膚のしわを分析できる皮膚の少なくとも一つの画像を取得するために、第１のカメラの倍率より低い倍率の対物レンズを備える第２のカメラを有することを特徴とする請求項１に記載のシステム。
【請求項１１】
上記低い倍率が２０倍以下であることを特徴とする請求項１０に記載のシステム。
【請求項１２】
上記低い倍率がほぼ１０倍に等しいことを特徴とする請求項１０に記載のシステム。
【請求項１３】
プロセッサが、皮膚のしわの少なくとも一つの画像から皮膚の粗さの程度を測定するように構成されることを特徴とする請求項１０に記載のシステム。
【請求項１４】
皮膚の張りの程度を測定する弾性メータを有することを特徴とする請求項１に記載のシステム。
【請求項１５】
皮膚の水分量（みずみずしさ）の程度を測定するコルネオメータを有することを特徴とする請求項１に記載のシステム。
【請求項１６】
プロセッサが、分析によって得られるデータを基準データと比較するように構成されることを特徴とする請求項１に記載のシステム。
【請求項１７】
基準データが、理想の皮膚を持つとして個人のグループにおいて取られた測定値から得られ、基準データがそれぞれの年齢範囲及び所与住民のタイプに関連されることを特徴とする請求項１６に記載のシステム。
【請求項１８】
対象人についての個人情報を入力できる構成されていることを特徴とする請求項１に記載のシステム。
【請求項１９】
上記個人情報を返答で得ることのできる少なくとも一つのアンケートを行なうように構成されていることを特徴とする請求項１８に記載のシステム。
【請求項２０】
少なくとも一つのアンケートを電子的に行なうように構成されていることを特徴とする請求項１９に記載のシステム。
【請求項２１】
基準データと比較して分析結果を示すグラフ表示を発生するように構成されていることを特徴とする請求項１に記載のシステム。
【請求項２２】
グラフ表示が棒グラフから成ることを特徴とする請求項２１に記載のシステム
【請求項２３】
上記分析結果が、ディスプレイ装置で表示されるページに示されることを特徴とする請求項２１に記載のシステム。
【請求項２４】
分析結果を記憶するデータ記憶スペースを有することを特徴とする請求項１に記載のシステム。
【請求項２５】
ネットワークを介してデータを供給するように構成したことを特徴とする請求項１に記載のシステム。
【請求項２６】
ネットワークが電話ネットワークであることを特徴とする請求項２５に記載のシステム。
【請求項２７】
ネットワークがコンピュータネットワークであることを特徴とする請求項２５に記載のシステム。
【請求項２８】
個人の携帯型端末装置及びパーソナルコンピュータの少なくとも一つにデータを供給するように構成したことを特徴とする請求項２５に記載のシステム。
【請求項２９】
対象人の皮膚の小孔及び（又は）斑点を観察できる皮膚の少なくとも一つの画像を取得すること；
カメラ以外の装置を用いて皮膚の少なくとも一つの物理化学的特性を測定すること；及び
取得した画像及び（又は）装置で実行される測定に基いてビューティアドバイスを行なうこと；
を含むビューティアドバイスの実施方法。
【請求項３０】
基準皮膚の画像と同時に取得した画像を表示することを含むことを特徴とする請求項２９に記載の方法。
【請求項３１】
皮膚における斑点の数、大きさ及び位置；
皮膚の色；
皮膚のしわの深さ；
皮膚の少なくとも一つの領域における皮脂の量；
皮膚の水化の程度；及び
皮膚の張りの程度
の少なくとも一つを測定することを含むことを特徴とする請求項２９に記載の方法。
【請求項３２】
皮膚における斑点の数、大きさ及び位置；
皮膚の色；
皮膚のしわの深さ；
皮膚の少なくとも一つの領域における皮脂の量；
皮膚の水化の程度；及び
皮膚の張りの程度
の全てを測定することを含むことを特徴とする請求項２９に記載の方法。
【請求項３３】
顔面の領域Ｕ及び領域Ｔの少なくとも一つにおける皮脂を測定することを含むことを特徴とする請求項２９に記載の方法。
【請求項３４】
対象人について測定したデータを、選択した年齢範囲に関連した基準データと比較することを含むことを特徴とする請求項２９に記載の方法。
【請求項３５】
対象人の皮膚の欠陥及び特性の少なくとも一つを測定することを含むことを特徴とする請求項３４に記載の方法。
【請求項３６】
対象人に関する個人情報を取得することを含むことを特徴とする請求項２９に記載の方法。
【請求項３７】
取得した画像及び（又は）装置で実行した測定を処理する結果を、対象人自体の皮膚の認識結果によるその人の情報と比較することを含むことを特徴とする請求項２９に記載の方法。
【請求項３８】
分析結果及び対象人の提示した情報の関数として、一つ以上のケアー製品又は一つ以上のダイエットサプリメントを処方することを含むことを特徴とする請求項２９に記載の方法。
【請求項３９】
対象人の皮膚の少なくとも一つの画像を取得すること；
カメラ以外の装置を用いて皮膚の少なくとも一つの物理化学的特性を測定すること；
対象人自体の認識結果に関する情報をその人に提供すること；
少なくとも一つの画像及び（又は）少なくとも一つの測定した特性を処理して得た少なくとも一つの情報と対象人の提示した情報とを比較すること；
の少なくとも一つを含むことを特徴とする方法。
【請求項４０】
ビューティアドバイスが上記比較に基いて行われることを特徴とする請求項３９に記載の方法。
【請求項４１】
製品の推奨が上記比較に基いて行われることを特徴とする請求項３９に記載の方法。
【請求項４２】
皮膚の小孔及び（又は）斑点を観察できる倍率で皮膚の少なくとも一つの画像を取得する第１のカメラと；
皮膚のしわを分析できる皮膚の少なくとも一つの画像を取得するために第１のカメラの倍率より低い倍率の対物レンズを備えた第２のカメラと；
皮膚の張りの程度を測定する弾性メータと；
皮膚の水分量（みずみずしさ）の程度を測定するコルネオメータと；
皮膚における皮脂を収集する装置と；
少なくとも一つの取得した画像及び（又は）実行される測定を処理することによって皮膚に関する情報を発生するプロセッサと；
を有することを特徴とする人の皮膚の分析システム。
【請求項４３】
カメラ以外の装置を用いて皮膚の少なくとも一つの物理化学的特性を測定すること；
測定した少なくとも一つの物理化学的特性を、理想の皮膚をもつものとして考えられる少なくとも一人に関連した基準データと比較すること；
を含むことを特徴とする方法。
【請求項４４】
基準データが、それぞれの年齢範囲及び所与人口形態に関連されることを特徴とする請求項４３に記載の方法。
【請求項４５】
対象人の皮膚の欠陥及び質を少なくとも一つ測定することを含むことを特徴とする請求項４３に記載の方法。
【請求項４６】
皮膚における斑点の数、大きさ及び位置；
皮膚の色；
皮膚のしわの深さ；
皮膚の少なくとも一つの領域における皮脂の量；
皮膚の水化の程度；及び
皮膚の張りの程度
の少なくとも一つを測定することを含むことを特徴とする請求項４３に記載の方法。
【請求項４７】
ビューティアドバイスが上記比較に基いて行われることを特徴とする請求項４３に記載の方法。
【請求項４８】
製品の推奨が上記比較に基いて行われることを特徴とする請求項４３に記載の方法。
【発明の詳細な説明】
【技術分野】
【０００１】
本発明は、人間の皮膚を分析するシステム及び方法に関するものである。
【背景技術】
【０００２】
経験によると、顧客はしばしば自分に最適な化粧及び（又は）ケアー製品を選択していない。その理由は、常に、自分の皮膚の形態及び皮膚に特に必要なものを正確に認識していないことによる。
【発明の開示】
【発明が解決しようとする課題】
【０００３】
その結果、例えば顧客個人に合ったアドバイスを提供するために、満足できる仕方で皮膚を分析できるようにする要求がある。
【課題を解決するための手段】
【０００４】
本発明は、皮膚を分析するシステムを提供し、かかるシステムは、
皮膚の小孔及び（又は）斑点（スポット）を観察できる倍率で皮膚の少なくとも一つの画像を取得するカメラと；
少なくとも一つの取得した画像と、例えば人間の同じ部位に相応し得る基準皮膚の画像とを同時に表示するディスプレイ装置と；
皮膚の少なくとも一つの物理化学的特性を測定するカメラ以外の装置と；
少なくとも一つの取得した画像及び（又は）装置で実行される測定を処理することによって皮膚に関する情報を発生するプロセッサと；
を有する。
【０００５】
用語“物理化学的特性”は、皮膚の色、皮脂濃度、皮膚の水化の程度及び皮膚の張りの程度を意味するのに用いられる。
【０００６】
本発明により、対象人の皮膚の状態を正確に測定して、その人に特に必要なものを決めることができる。その理由は、基準画像との比較に適した皮膚の少なくとも一つの画像に基くだけでなく、少なくとも一つの非光学的測定値に基いて、皮膚が分析されるためである。
【０００７】
これにより、例えば販売時や美容室において顧客の皮膚に適した化粧及び（又は）ケアー製品を選択する際に正確なアドバイスを顧客に提供することができる。
【０００８】
カメラは好ましくは、倍率が少なくとも４０倍以上、そして例えば６０倍の対物レンズを備えている。このような倍率は、例えば皮膚における小孔（毛穴）や斑点の数を測るために、画像を処理するのに適している。
【０００９】
カメラで取得した皮膚の少なくとも一つの画像から、プロセッサは、有利には、皮膚における小孔及び（又は）斑点の数、例えば平均数、大きさ、例えば平均大きさ、及び位置の少なくとも一つを測定するように構成される。
【００１０】
本発明の一実施形態では、カメラは、皮膚の表面の下側を観察できるようにする偏光子を備える。
【００１１】
本装置は皮膚における皮脂を収集する少なくも一つの装置を有し得、この装置は、例えば、皮膚に当てる面をもつペレットで構成した皮脂収集媒体を備え得る。
【００１２】
プロセッサは、有利には、皮脂収集媒体の画像を処理することによって収集した皮脂の量を測定するように構成される。
【００１３】
皮膚の小孔及び（又は）斑点を観察できる第１のカメラに加えて、本システムは、皮膚のしわの深さを分析できる皮膚の少なくとも一つの画像を取得するために、倍率が２０倍以下、例えば１０倍に等しい第１のカメラの倍率より低い倍率の対物レンズを備える第２のカメラを有し得る。
【００１４】
プロセッサは、例えば、このようにカメラを用いて取得した皮膚のしわの画像に基いて皮膚の粗さの程度を測定するように構成され得る。
【００１５】
本装置は、また、皮膚の張りの程度を測定する弾性メータ及び（又は）皮膚の水分量（みずみずしさ）の程度を測定するコルネオメータを有し得る。
【００１６】
好ましくは、プロセッサは、分析によって得られるデータを基準データと比較するように構成される。
【００１７】
基準データは、例えば、理想の皮膚を持つとして個人又は個人のグループにおいて取られた測定値から得られ得、基準データはそれぞれの年齢範囲及び所与人口のタイプに関連される。
【００１８】
所与年齢範囲及び所与人口に対する理想の皮膚を決めるために、例えばスケールで選択したスコアーを各人に割り当てることによってこの人口の各人について少なくとも一つの皮膚特性を評価することができる。理想の皮膚は、例えば、この人口に対して最良のスコアー即ち予定のパーセント例えば最良には１０％以内のスコアーをもつ皮膚に相当し得る。
【００１９】
例えば、皮膚特性がしわのきつい場合には、最良のスコアー及び理想の皮膚は、所与年齢範囲をもつ考察した人口に対するしわの少ない皮膚に相当し得る。
【００２０】
理想の皮膚は、所与年齢範囲、所与人口及び所与皮膚特性について測定した平均又は中間スコアーより良いスコアーをもつとして選択され得る。
【００２１】
理想の皮膚は、また、美しいとして知られた何人かの周知の人々、例えばモデルや俳優や女優の皮膚であってもよい。また理想の皮膚は、種々の皮膚のパネルによる選択で得ることもでき、この選択は例えば美の考察に基いて行われる。
【００２２】
本発明の一実施形態では、システムは、人の個人情報を入れて考察できるように構成され、上記情報はできれば、例えばその人の皮膚の状態の認識、皮膚に関する先入観及び美容事項における習慣癖の少なくとも一つについての表示を含む。
【００２３】
本システムは、個人情報を返答で得ることのできる例えば電子形態のアンケートを行なうように構成され得る。
【００２４】
本システムは、基準データと比較して得た個人情報を表す、例えば棒グラフ形式の合成グラフ表示を行うように構成され得る。合成グラフ表示は例えばディスプレイ装置で表示されるページに示される。
【００２５】
本発明の一実施形態では、システムは、人について得たデータを記憶するデータ記憶スペースを有する。
【００２６】
本発明の別の特徴において、本発明は、
以前美容及び（又は）ケアートリートメントを受けたことのある又はない人の皮膚の小孔及び（又は）斑点を観察できる皮膚の画像を取得すること；
カメラ以外の装置を用いて皮膚の物理化学的特性を測定すること；及び
取得した画像及び（又は）装置で実行される測定に基いてビューティアドバイスを行なうこと；
を含むビューティアドバイスの実施方法。
【００２７】
本方法は、基準皮膚の画像と同時に取得した画像を表示することを含み得る。
【００２８】
好ましくは、
皮膚における斑点の数、大きさ及び位置；
皮膚の色；
皮膚のしわの深さ；
皮膚の少なくとも一つの領域における皮脂の量；
皮膚の水化の程度；及び
皮膚の張りの程度
の少なくとも一つ又は全てが測定される。
【００２９】
本発明の実施形態において、対象人について測定したデータは、その人の年齢に相応してもしなくてもよい選択した年齢範囲と関連した基準データと比較される。これにより、例えば、その人が異なった年齢範囲に相当する皮膚特性をもつことを決めることができる。
【００３０】
本方法は、例えば、対象人に関する個人情報を取得する段階を含み得、この個人情報は例えば人の皮膚の認識についての表示を含む。
【００３１】
本発明の実施形態において、測定結果は、対象人の皮膚のその人の認識においてその人による情報と比較される。
【００３２】
本方法は、分析結果及び対象人の提示した情報の関数として、一つ以上のケアー製品又は一つ以上のダイエットサプリメントを処方する段階を含み得る。
【００３３】
また、本発明は、本発明の別の特徴によれば、
対象人の皮膚の少なくとも一つの画像を取得すること；
カメラ以外の装置を用いて皮膚の少なくとも一つの物理化学的特性を測定すること；
対象人自体の認識に関する情報をその人に提供すること；
少なくとも一つの画像及び（又は）少なくとも一つの測定した特性を処理して得た少なくとも一つの情報と人の提示した情報とを比較すること；
の少なくとも一つを含むことから成る方法に関する。
【００３４】
また、本発明は、本発明の別の特徴によれば、
皮膚の小孔及び（又は）斑点を観察できる倍率で皮膚の少なくとも一つの画像を取得する第１のカメラと；
皮膚のしわを分析できる皮膚の少なくとも一つの画像を取得するために第１のカメラの倍率より低い倍率の対物レンズを備えた第２のカメラと；
皮膚の張りの程度を測定する弾性メータと；
皮膚の水分量（みずみずしさ）の程度を測定するコルネオメータと；
皮膚における皮脂を収集する装置と；
少なくとも一つの取得した画像及び（又は）実行される測定を処理することによって皮膚に関する情報を発生するプロセッサと；
を有して成るシステムに関する。
【００３５】
また、本発明は、本発明の別の特徴によれば、
カメラ以外の装置を用いて皮膚の少なくとも一つの物理化学的特性を測定すること；
測定した少なくとも一つの物理化学的特性を、理想の皮膚をもつものとして考えられる人のグループに関連した基準データと比較すること；
を含むことから成る方法に関する。
【００３６】
本発明は、添付図面を参照して、本発明を限定しない実施形態についての以下の詳細な説明から一層良く理解され得る。
【発明を実施するための最良の形態】
【００３７】
図１には人の皮膚Ｐを分析するシステム１を示し、このシステム１はコンピュータ２、コンピュータ２に接続したプリンタ３、及びコンピュータ２に接続した第１のカメラを有している。
【００３８】
コンピュータ２は、中央ユニット５と、スクリーン８と、キーボード９及びマウス１０を含むユーザーインターフェースとを備え得る。
【００３９】
第１のカメラ４は、倍率６０倍の対物レンズを備え、そして方向を調節できる偏光子（図示していない）が取付けられ、照明手段を内蔵している。
【００４０】
システム１はさらに、コンピュータ２に接続した、
倍率１０倍の対物レンズをもつ第２のカメラ１１と；
弾性メータ１２と；
コルネオメータと；
を有している。
【００４１】
分析システム１はさらに、人の皮膚から皮脂を収集する図２に示す装置１５を有し得る。
【００４２】
装置１５は例えば皮脂メータで構成される。
【００４３】
装置１５は握り部１６を備え、握り部１６の一端部は皮脂収集ペレット１７を受けるように構成されている。説明している例では、ペレット１７は使用する前には条片１９にパッケージされている。
【００４４】
装置１５は次のように用いられる。
皮脂収集ペレット１７は握り部１６に固定され、そして皮脂収集ペレット１７の面１８は人の皮膚Ｐに当てられる。ペレットを外した後、カメラ４は、図４に示すように、皮脂を集めたペレット１７の面１８の画像を取得するのに用いられる。
【００４５】
画像を処理することにより、収集された皮脂の量を測定することができる。
【００４６】
説明している例では、システム１は、人に関する個人情報を入力できるように構成される。
【００４７】
こうするために、コンピュータ２は、図５に示すように、第１の段階３０において、図６及び図７にそれぞれ示すもののようなアンケートをスクリーン８に表示するようにする。
【００４８】
図６に示すアンケートは、段階３１において、個人の名前、性別、誕生日、電話番号、郵便アドレス及びｅメールアドレスのような情報を入力するのに役立つ。
【００４９】
この情報は例えば中央ユニット５に記憶される。
【００５０】
図７に示すアンケートは、人自体の皮膚、化粧習慣癖及び美容事項における期待について人の認識に関する種々の質問を備えている。
【００５１】
例として、これらの質問は、以下の形式のものであり得る。
あなたの皮膚のつやは？
あなたの皮膚は張っていると思いますか？
あなたは自分化粧を何回修整しますか、しない、一回、二回又は三回、三回以上。洗浄後、あなたの皮膚は快適であると思いますか、張っていると思いますか？
【００５２】
段階３２においては、対象人又は美容師は適当には、第１のカメラ４を用いて皮膚の画像４０を取得するように進める。
【００５３】
第１のカメラ４の倍率により、皮膚の小孔及び斑点を観察することができる。
【００５４】
画像４０は、図８に見られるように、スクリーン８に表示される。
【００５５】
段階３３において、対象人の皮膚の画像４０は、基準皮膚の画像４１と同時に表示され、これらの画像は図９に示すように同じフォーマットをもつ。
【００５６】
説明している例では、基準皮膚はそれぞれの年齢範囲に関連され、そして各々は所与年齢範囲でしかも所与人口形態に属する五人の皮膚から得られ、問題としている人は理想の皮膚をもつとして考えられる。
【００５７】
そして、対象人の画像は、対象人の年齢範囲及び対象人の人口形態について基準皮膚の画像と比較され得る。
【００５８】
次の段階３４において、画像４０は、特に皮膚における小孔の数、大きさ及び位置を測定するために、図１０に示すように二進検出によって処理される。
【００５９】
段階３２〜３４は皮膚に斑点が見える間は繰り返され得る。
【００６０】
その場合、段階３２において、図１１に示すように、皮膚の画像５０は、偏光子を設けたカメラ４を用いて取得される。
【００６１】
段階３３において、画像５０は、図１２に示すように、比較のために基準皮膚の画像５１と同時に表示され得る。
【００６２】
段階３４において、二進検出を用いて、特に皮膚の斑点の数、大きさ及び位置を測定することができる。
【００６３】
皮膚の分析を一段と精妙にするため、段階３５において皮膚の付加的な測定を行なうことができる。
【００６４】
特に、対象人の皮膚における皮脂の量を測定することができる。
【００６５】
この目的で、ペレット１７における皮脂を収集する働きをする装置１５が用いられる。
【００６６】
カメラ４を用いて、ペレット１７の当り面の画像が取得される。
【００６７】
この操作は、それぞれ顔面の領域Ｕ及び顔面の領域Ｔについて行なわれる。領域Ｕは顎を介して一方の頬から他方の頬へのびる顔面の領域に相当している。領域Ｔは、額及び鼻によって画定した顔面の領域に相当している。
【００６８】
図１３には、それぞれ領域Ｕ及び領域Ｔから得られた二つの画像５５、５６を示す。これらの画像５５、５６から、中央ユニット５は各領域における皮脂の量を計算する。
【００６９】
得られた値５９は、例えばスケール５７、５８におけるそれぞれの基準値と比較され、こうして、皮脂の存在が低いか、正常であるか又は高いかを測定することができる。
【００７０】
例えば、領域Ｕにおける測定値は、皮脂の低い状態に相当している。これに対して、領域Tにおける測定値は、皮脂の量が過剰である状態に相当している。
【００７１】
皮膚の粗さを測定するために、カメラ１１を用いて画像６０が取得される。
【００７２】
取得した画像６０は図１４に示すように表示され、例えば目のまわりのしわを表している。
【００７３】
中央ユニット５は、上記画像６０及び選択した線６１から、グラフ６４で表すように、上記選択した線６１に沿って皮膚の形態の変化を評価することで皮膚の粗さの程度を測定するように構成されている。
【００７４】
こうして測定した皮膚の粗さの程度は画像６０の上方に表示される基準値と比較され得る。
【００７５】
見ることができるように、説明している例において測定した程度は正常な状態に相当している。
【００７６】
その後、皮膚の張りの度合いが弾性メータ１２によって測定され、皮膚の水分量の度合いはコルネオメータ１３を用いて測定される。
【００７７】
水分量及び張りの測定値は、図１４に示すように水分量及び張りスケールとそれぞれ比較され得る。
【００７８】
これらの測定値を得た後、段階３６において、基準値に対して得られた結果は、図１６に見られるように、棒グラフの形式でグラフ表示と共に表示される。
【００７９】
これは結果の全体図である。
【００８０】
結果のグラフ表示は、プリンタ３を用いて紙に印刷され得るか、又は例えば中央ユニット５に記憶され得る。
【００８１】
これらの結果はまた、電話又はコンピュータネットワーク、特にインターネットを通して、例えば対象人の携帯端末装置又はパーソナルコンピュータに伝送され得る。
【００８２】
コラム７０は、対象人の皮膚について測定した値に相当し、それらのコラムは、それぞれ皮膚の各特性、すなわち例えば、それぞれ領域Ｕ及び領域Ｔにおける小孔の数、斑点の数、色つや、しわ、皮脂の量、水分量、及び張りについての基準値に相当しているコラム７１の傍らに位置されている。
【００８３】
基準値は、それぞれの年齢範囲と関連され、そして基準皮膚画像と同様に、理想の皮膚をもつと考えられる個人のグループにおける測定値から得られる。
【００８４】
段階３７において、分析結果は、基準データ、特に特定の年齢範囲と関連したデータと比較され、対象人の皮膚の欠陥及び質を測定するようにする。
【００８５】
例えば、美容師は、４０歳の対象人が３０歳に相当する皮膚の水分量をもっていると結論付けることができる。
【００８６】
逆に、美容師は、３０歳の対象人の皮膚の張りが４０歳の人の皮膚の張りに相当していると結論付けることができる。
【００８７】
棒グラフにおいて、対象人自体の時分の皮膚の認識に関して素の対象人によって提示された情報を見ることができ、また右側には、測定値から推察できる結論を見ることができ、それらを段階３８で比較することができる。
【００８８】
まず第１に、対象人の自分の皮膚の自分自身の認識に関する情報を見そして第２に測定結果を見て、美容師は段階３９において、化粧品、ケアー製品又はトリートメント製品、及びできればまたダイエットサプリメントを選択する上でのアドバイを顧客に行なう。
【００８９】
図１７に見られるように、化粧品の内から対象人に最も適した化粧製品を勧めることができる。
【００９０】
さらに、図１８に示すページのようなスクリーンページを用いて、美容師は、皮膚の状態について対象人に説明することができる。
【００９１】
特許請求の範囲を含む明細書の記載において、用語“有する、備える、又はから成る”は、特に注釈しない限り“少なくとも一つ有する、少なくとも一つ備える、又は少なくとも一つから成る”と同義であると理解されるべきである。
【００９２】
本発明は上記の実施形態に限定されない。
【００９３】
特に、分析システムは、皮膚の状態を評価する他の測定装置を含むことができる。
【００９４】
特定の実施形態について本発明を説明してきたが、これらの実施形態は単に、本発明の原理及び応用を例示するためのものであることが理解されるべきである。従って、特許請求の範囲に定義した本発明の精神及び範囲から逸脱せずに、例示した実施形態に対して種々の変更を行なうことができ、また他の構成を採用できることが理解されるべきである。
【図面の簡単な説明】
【００９５】
【図１】本発明による分析システムの概略斜視図。
【図２】皮膚の一領域における皮脂の量を測定する装置の概略斜視図。
【図３】図２の装置の使用状態を示す概略部分斜視図。
【図４】皮脂収集媒体の当て面の画像を取得する例を示す概略図。
【図５】美容事項におけるアドバイスを与える方法における種々の状態を示すフローチャート。
【図６】図１のシステムで表示したスクリーンページを示す概略図。
【図７】図１のシステムで表示したスクリーンページを示す概略図。
【図８】図１のシステムで表示したスクリーンページを示す概略図。
【図９】図１のシステムで表示したスクリーンページを示す概略図。
【図１０】図１のシステムで表示したスクリーンページを示す概略図。
【図１１】図１のシステムで表示したスクリーンページを示す概略図。
【図１２】図１のシステムで表示したスクリーンページを示す概略図。
【図１３】図１のシステムで表示したスクリーンページを示す概略図。
【図１４】図１のシステムで表示したスクリーンページを示す概略図。
【図１５】図１のシステムで表示したスクリーンページを示す概略図。
【図１６】図１のシステムで表示したスクリーンページを示す概略図。
【図１７】図１のシステムで表示したスクリーンページを示す概略図。
【図１８】図１のシステムで表示したスクリーンページを示す概略図。
【符号の説明】
【００９６】
１：人の皮膚Ｐを分析するシステム
２：コンピュータ
３：プリンタ
４：第１のカメラ
５：中央ユニット
８：スクリーン
９：キーボード
１０：マウス
１１：第２のカメラ
１２：弾性メータ
１５：人の皮膚から皮脂を収集する装置
１６：握り部
１７：皮脂収集ペレット
１８：ペレット１７の面
１９：条片
４０：皮膚の画像
４１：基準皮膚の画像
５０：皮膚の画像
５１：基準皮膚の画像
５５、５６：画像
５７、５８：スケール
５９：得られた値
６０：取得した画像
６１：選択した線
【図１】
2005118580.tif 000003
【図２】
2005118580.tif 000004
【図３】
2005118580.tif 000005
【図４】
2005118580.tif 000006
【図５】
2005118580.tif 000007
【図６】
2005118580.tif 000008
【図７】
2005118580.tif 000009
【図１０】
2005118580.tif 000010
【図１７】
2005118580.tif 000011
【図８】
2005118580.tif 000012
【図９】
2005118580.tif 000013
【図１１】
2005118580.tif 000014
【図１２】
2005118580.tif 000015
【図１３】
2005118580.tif 000016
【図１４】
2005118580.tif 000017
【図１５】
2005118580.tif 000018
【図１６】
2005118580.tif 000019
【図１８】
2005118580.tif 000020
【外国語明細書】
2005118580.tif 000021
2005118580.tif 000022
2005118580.tif 000023
2005118580.tif 000024
2005118580.tif 000025
2005118580.tif 000026
2005118580.tif 000027
2005118580.tif 000028
2005118580.tif 000029
2005118580.tif 000030
2005118580.tif 000031
2005118580.tif 000032
2005118580.tif 000033
2005118580.tif 000034
2005118580.tif 000035
2005118580.tif 000036
2005118580.tif 000037
2005118580.tif 000038
2005118580.tif 000039
2005118580.tif 000040
2005118580.tif 000041
2005118580.tif 000042
2005118580.tif 000043
2005118580.tif 000044
2005118580.tif 000045
2005118580.tif 000046
2005118580.tif 000047
2005118580.tif 000048
2005118580.tif 000049
2005118580.tif 000050
2005118580.tif 000051
2005118580.tif 000052
2005118580.tif 000053
2005118580.tif 000054
2005118580.tif 000055
2005118580.tif 000056
2005118580.tif 000057